(57)【要約】【課題】使い勝手を低下させることなくスタイラスペンの紛失を防止することを目的とする。【解決手段】装置本体１に着脱可能に保持されるスタイラスペン２にストラップ３が連結されており、  かつ、スタイラスペン２の装置本体１への連結状態において、前記ストラップ３により装置本体１を引き上げ可能に構成する。【選択図】  図１
2005346644.tif 000002
【特許請求の範囲】
【請求項１】
装置本体に着脱可能に保持されるスタイラスペンにストラップが連結されており、
かつ、スタイラスペンの装置本体への連結状態において、前記ストラップにより装置本体を引き上げ可能な情報処理装置。
【請求項２】
スタイラスペンを受容するペン保持部を備える情報処理装置であって、
前記ペン保持部はスタイラスペンを抜去不能に拘束可能であり、
かつ、スタイラスペンには、ストラップが連結される情報処理装置。
【請求項３】
前記スタイラスペンには、ペン保持部に形成された被係止部に係止可能な係止部が設けられ、
かつ、係止部は、スタイラスペンの長手中心軸周りの回転操作により被係止部に係止してペン保持部からの脱離が規制される請求項２記載の情報処理装置。
【請求項４】
装置本体に脱離可能に連結されるスタイラスペンであって、
ストラップと、装置本体への連結部とを有し、
連結部は、ストラップにより装置本体を引き上げ可能に装置本体に連結可能なスタイラスペン。
【請求項５】
前記連結部は、軸部に形成される請求項４記載のスタイラスペン。
【発明の詳細な説明】
【技術分野】
【０００１】
本発明は、情報処理装置に関するものである。
【背景技術】
【０００２】
タッチパネルを備える携帯型情報処理装置としては、特許文献１に記載のものが知られている。この従来例において、携帯型情報処理装置は、装置本体にスタイラスペンを脱離不能に連結して構成される。
【特許文献１】特開平１０-１７７４４７号公報
【発明の開示】
【発明が解決しようとする課題】
【０００３】
しかし、上述した従来例において、スタイラスペンは装置本体に連結されているために、紛失のおそれはなくなるが、反面、スタイラスペンの移動範囲が制限を受けるために、使い勝手が悪いという欠点を有する。この問題は、スタイラスペンを連結している紐の長さを長くすることで解決することができるが、この場合には、紐の絡まり等が発生し易くなってしまうという問題を惹起する。
【０００４】
また、装置本体には、スタイラスペン連結用の紐を固定するスペースを確保する必要があるために、デザインの自由度を低下させるという問題がある。
本発明は、以上の欠点を解消すべくなされたものであって、使い勝手を低下させることなくスタイラスペンの紛失を防止できる情報処理装置の提供を目的とする。
【０００５】
また、本発明の他の目的は、このような情報処理装置に使用可能なスタイラスペンの提供にある。
【課題を解決するための手段】
【０００６】
本発明において情報処理装置は装置本体１と、装置本体１を操作するためのスタイラスペン２とを有する。スタイラスペン２は、紛失を防止するために、装置本体１に連結することが可能であり、さらに、装置本体１からの距離を気にすることなく自由に動かせるように、使用時には装置本体１から完全に脱離させることができる。
【０００７】
スタイラスペン２にはストラップ３が連結され、スタイラスペン２と装置本体１とは、ストラップ３を掴んで装置本体１を引き上げることができる程度の連結強度で相互に連結される。
【０００８】
したがってこの発明において、スタイラスペン２を装置本体１に装着した状態で、スタイラスペン２に連結されたストラップ３を手掛けとして利用し、例えば持ち運び等することができる。この結果、ストラップ３を別途装置本体１に連結する必要がないために、装置本体１にストラップ３連結のためのスペースを設定する必要がなくなり、デザインの自由度の向上と装置の小型化（省スペース）を期待することができる。
【０００９】
また、スタイラスペン２にストラップ３を連結することにより、ストラップ３を変えることでスタイラスペン２の識別が可能となる。この結果、スタイラスペン２を他人のものと取り違えることがなくなる。
【００１０】
スタイラスペン２と装置筺体との連結は、双方に相互に係止可能な係止部６、および被係止部５を設けておくことにより実現可能であり、スタイラスペン２側の係止部６は、スタイラスペン２自体の他に、ストラップ３に形成することもできる。
【発明の効果】
【００１１】
本発明によれば、使い勝手を低下させることなくスタイラスペンの紛失を防止することができる。
【発明を実施するための最良の形態】
【００１２】
図１にＰＤＡ（Personal Digital Assistance）として構成された本発明の実施の形態を示す。ＰＤＡは、タッチパネルを兼ねる表示部１ａを備えた装置本体１と、表示部１ａ上に描画されるアイコン等を指示して装置本体１に所定の命令を伝えるスタイラスペン２とを有する。
【００１３】
スタイラスペン２は、ポインティング精度を高めるために、下端を小径としたペン状部材であり、上端に形成されるストラップ連結孔２ａを利用してベルト状のストラップ３が連結される。また、スタイラスペン２の軸部８下端部には、側方に向けて係止部６が突設されて装置本体１への連結部７とされる。
【００１４】
以上のように形成されるスタイラスペン２の紛失を防止するために、装置本体１には縦孔状のペン保持部４が形成される。図２に示すように、ペン保持部４にはスタイラスペン２の係止部６が挿通可能な有底の凹溝４ａが設けられ、凹溝４ａの底壁部４ｂがスタイラスペン２の挿入方向の位置決め部となる。
【００１５】
また、ペン保持部４には、スタイラスペン２の係止部６が凹溝４ａの底壁部に当接した位置でスタイラスペン２が適宜角度（図においては１８０°）回転可能なように、回転スペース９が設定される。回転スペース９は回転始端９ａにおいては、上述したように、凹溝４ａに連通して上方、すなわちスタイラスペン２の挿入口側に開放されるのに対し、それ以外の領域、少なくとも回転終端９ｂ位置には天井壁が設定されてスタイラスペン２の係止部６に対する被係止部５とされる。
【００１６】
なお、図２において回転スペース９は、一体として形成される装置本体１の筐体内に形成されるように図示されているが、例えば、筐体を射出成型により形成する場合等には、筐体の回転スペース９周りを分割構造としてアンダーカット部を解消することができる。
【００１７】
したがってこの実施の形態において、スタイラスペン２を装置本体１から取り外して使用している場合には、ストラップ３が目印になって比較的小さなスタイラスペン２が紛失したり、あるいは他のスタイラスペン２と紛れて所有者が分からなくなることが防止される。また、スタイラスペン２は装置本体１から完全に脱離するために、操作範囲が制限されず、装置本体１にスタイラスペン２を紐等で連結する場合に比して使い勝手が良好になる。
また、現在のＰＤＡの多くは、スタイラス装着時の形が装置と一体化しているデザインである。そのため、スタイラスが装着しているかどうかの判別があまり容易ではないが、本発明はこの問題点を解決することができる。
【００１８】
これに対し、スタイラスペン２を装置本来に収納するには、まず、係止部６を凹溝４ａに合致させた姿勢でスタイラスペン２をペン保持部４に挿入した後、スタイラスペン２を軸中心周りに１８０°回転させる。図３（ｂ）に示すように、スタイラスペン２の回転により係止部６は、回転スペース９の天井壁、すなわち被係止部５に係止する。この状態では、スタイラスペン２はペン保持部４から抜去することはないので、スタイラスペン２に連結されたストラップ３をＰＤＡのストラップ３として利用することができる。
【００１９】
なお、ストラップ３を把持して装置本体１を吊り下げて持っている際にスタイラスペン２が不用意に回転してペン保持部４から抜去しないように、装置本体１、あるいはスタイラスペン２側にはスタイラスペン２を係止位置に保持するストッパ手段を設けることができる。ストッパ手段は、スタイラスペン２を係止回転位置で装置本体１に連結するためのねじ、あるいはピン等により構成する以外に、該係止回転位置でスタイラスペン２をクリックストップさせる節度停止機構としても構成することができる。
【００２０】
さらに、上記ストッパ手段は、例えば、図４に示すように、スタイラスペン２への抜去方向の負荷によってスタイラスペン２に被係止部５との係止方向のトルクが発生するようなカム面１０により構成することができる。図４においてカム面１０は、被係止部５を含む回転スペース９の天井壁を、回転終端９ｂに向かうに従って漸次高くなる斜面にして形成される。
【００２１】
図４（ｄ）に示すように、係止部６が被係止部５からずれた位置においてスタイラスペン２に抜去方向の力（Ｆ）が負荷されると、係止部６のカム面１０との接点（Ｐ）には、図４（ｅ）に示すように、カム面１０に直交する垂直反力（Ｖ）と、カム面１０に沿う水平反力（Ｓ）とが発生し、係止部６は回転スペース９の回転終端９ｂ側に移動する。
【００２２】
また、スタイラスペン２の不用意な抜去防止は、図４（ｆ）（ｇ）に示すように、回転スペース９の回転終端９ｂの天井壁をスタイラスペン２側の係止部６が嵌合する凹部１１として形成することによっても実現できる。
【図面の簡単な説明】
【００２３】
【図１】本発明を示す斜視図で、（ａ）はスタイラスペンを装置本体から取り外した状態を示す図、（ｂ）は装着状態を示す図である。
【図２】ペン保持部を示す図で、（ａ）は図１（ａ）の２Ａ-２Ａ線断面図、（ｂ）は図２（ａ）の２Ｂ-２Ｂ線断面図、（ｃ）は図２（ａ）の２Ｃ-２Ｃ線断面図、（ｄ）は図２（ａ）の２Ｄ-２Ｄ線断面図である。
【図３】スタイラスペンの装着状態を示す図で、（ａ）はスタイラスペンをペン保持部に挿入した状態における図１（ａ）の２Ａ-２Ａ線断面図、（ｂ）は図３（ａ）の３Ｂ-３Ｂ線断面図、（ｃ）はスタイラスペンを１８０°回転させた状態における図１（ａ）の２Ａ-２Ａ線断面図、（ｄ）は図３（ｃ）の３Ｄ-３Ｄ線断面図である。
【図４】ストッパ部を示す図で、（ａ）は図２（ｃ）に対応する図、（ｂ）は図４（ａ）の４Ｂ-４Ｂ線断面図、（ｃ）はスタイラスペンを挿入した状態における図４（ａ）の４Ｂ-４Ｂ線断面図、（ｄ）は係止部がずれた状態における図４（ａ）の４Ｂ-４Ｂ線断面図、（ｅ）はＰ点における力のベクトル図、（ｆ）はストッパ部の他の変形例を示す図４（ｂ）に対応する図、（ｇ）はスタイラスペンを連結した状態を示す断面図である。
【符号の説明】
【００２４】
１        装置本体
２        スタイラスペン
３        ストラップ
４        ペン保持部
５        被係止部
６        係止部
７        連結部
８        軸部
【図１】
2005346644.tif 000003
【図２】
2005346644.tif 000004
【図３】
2005346644.tif 000005
【図４】
2005346644.tif 000006